(57)【要約】【課題】所定の事象を検出したときに外部に出力する検出信号の出力条件を任意に設定し得る電子機器を提供する。【解決手段】出力条件を設定する設定データＤｓｅを機器外部から入力すると共に所定信号Ｓ１を検出したときにこの出力条件によって規定される出力期間に亘って検出信号Ｓ２を出力する制御部３２と、出力部３１とを備えている。具体的には、制御部３２は、所定信号Ｓ１の検出開始を始期とし検出終了を終期とする期間を出力期間として検出信号Ｓ２を出力する。出力部３１は、検出信号Ｓ２の入力開始と同時に制御信号Ｓｃの出力を開始し、検出信号Ｓ２の入力停止と同時に制御信号Ｓｃの出力を停止する。【選択図】図４
2007328383.tif 000002
【特許請求の範囲】
【請求項１】
出力条件を設定する設定データを機器外部から入力すると共に所定の事象を検出したときに当該出力条件によって規定される出力期間に亘って検出信号を出力する処理部を備えている電子機器。
【請求項２】
前記処理部は、前記所定の事象の検出開始を始期とし検出終了を終期とする期間を前記出力期間として前記検出信号を出力する請求項１記載の電子機器。
【請求項３】
前記処理部は、前記所定の事象の検出開始を始期としリセット指示を入力した時点を終期とする期間を前記出力期間として前記検出信号を出力する請求項１記載の電子機器。
【請求項４】
前記処理部は、前記所定の事象の検出開始を始期とする指定期間を前記出力期間として前記検出信号を出力する請求項１記載の電子機器。
【請求項５】
複数の計測モジュールを備えると共に当該複数の計測モジュールのうちの少なくとも１つの計測モジュールが請求項１から４のいずれかに記載の電子機器で構成されて、当該１つの計測モジュールが他の前記計測モジュールからの所定信号の出力を前記所定の事象として検出する監視装置。
【請求項６】
請求項５記載の監視装置と、当該監視装置と伝送路を介して接続されて前記処理部に前記設定データを出力するデータ処理装置を備えている監視システム。
【発明の詳細な説明】
【技術分野】
【０００１】
本発明は、所定の事象を検出したときに検出信号を出力する電子機器、この電子機器を備えた監視装置、およびこの監視装置を備えた監視システムに関するものである。
【背景技術】
【０００２】
この種の監視システムとして、特開２００２−２４９７３号公報に開示された遠隔監視システムが知られている。この遠隔監視システムは、監視対象体としての複数の電力設備に遠隔監視端末および通信ユニットがそれぞれ接続されると共に、各通信ユニットが基地局およびパケット通信網を介して遠隔監視センタに接続されて、電力設備の異常発生の有無を監視可能に構成されている。この遠隔監視システムでは、各電力設備毎に規定された監視項目について異常が発生したときに、遠隔監視端末が、どの監視項目についてどのような異常がいつ発生したかなどの異常発生内容を含んだ異常情報を通信ユニットに出力する。これに応じて、通信ユニットが、基地局およびパケット通信網を介して異常情報を遠隔監視センタに送信する。また、発生した異常が復旧したときには、遠隔監視端末が、どの監視項目についての異常がいつどのように復旧したかなどを示す異常情報を通信ユニットに出力し、通信ユニットが、その異常情報を遠隔監視センタに送信する。一方、遠隔監視センタでは、各通信ユニットから送信された異常情報に基づき、各種の異常詳細情報を監視履歴・異常詳細データベースに書き込む。したがって、この遠隔監視システムでは、異常詳細情報を閲覧することで、異常発生に関する情報を把握することが可能となっている。
【特許文献１】特開２００２−２４９７３号公報（第３−５頁、第１図）
【発明の開示】
【発明が解決しようとする課題】
【０００３】
ところで、この種の監視システムでは、遠隔監視端末が異常の発生を示す検出信号を生成して、例えば接点出力端子（例えばオープンコレクタ出力端子）から外部に出力する機能を備えているものがある。この検出信号は、例えば遠隔監視端末と共に監視対象機器としての電力設備に接続された測定装置（例えば波形記録装置）や、電力設備に設置された警報装置などを作動させるための制御信号（またはトリガ信号）として使用される。この構成により、電力設備に異常が発生したときに、遠隔監視端末が検出信号を測定装置に出力して測定動作を開始させることができるため、異常発生時における電力設備の内部電圧波形などを測定装置に測定させることができる結果、この測定結果を異常発生の原因究明に利用することができる。また、遠隔監視端末が検出信号を警報装置に出力して警報動作を開始させることができるため、電力設備の異常を迅速に報知することができ、発生した異常に対する迅速な対応が可能となる。
【０００４】
一方、遠隔監視端末から出力される検出信号はその信号長（出力時間）が遠隔監視端末の仕様で一定の長さに規定されている。このため、電力設備に異常が発生している全期間に対して検出信号の信号長が短い場合には、この全期間に亘って測定装置に測定動作を実行させたり、警報装置に報知動作を実行させたりすることができないという問題点が存在している。また、逆に、異常の発生期間に対して検出信号の信号長が長い場合には、異常の発生期間の終了後においても測定動作や報知動作が続行されるという問題点もある。
【０００５】
また、測定装置や警報装置が測定動作や警報動作を開始した後において、測定動作や警報動作の実行中に、何らかの理由によってこれら動作の続行が不要になった場合にも、これら動作を外部から強制的に停止させることができないという問題もある。さらに、測定装置や警報装置を作動させるためのトリガ信号として検出信号を使用したい場合もあるが、トリガ信号の入力仕様は測定装置毎に、また警報装置毎に異なるため、使用したい測定装置や警報装置があったとしても、これら装置についてのトリガ信号の入力仕様に検出信号が適合しないときには、これらの装置を使用できないという問題点も生じている。
【０００６】
本発明は、かかる課題を解決すべくなされたものであり、所定の事象を検出したときに外部に出力する検出信号の出力条件を任意に設定し得る電子機器、監視装置および監視システムを提供することを主目的とする。
【課題を解決するための手段】
【０００７】
上記目的を達成すべく請求項１記載の電子機器は、出力条件を設定する設定データを機器外部から入力すると共に所定の事象を検出したときに当該出力条件によって規定される出力期間に亘って検出信号を出力する処理部を備えている。
【０００８】
また、請求項２記載の電子機器は、請求項１記載の電子機器において、前記処理部は、前記所定の事象の検出開始を始期とし検出終了を終期とする期間を前記出力期間として前記検出信号を出力する。
【０００９】
また、請求項３記載の電子機器は、請求項１記載の電子機器において、前記処理部は、前記所定の事象の検出開始を始期としリセット指示を入力した時点を終期とする期間を前記出力期間として前記検出信号を出力する。
【００１０】
また、請求項４記載の電子機器は、請求項１記載の電子機器において、前記処理部は、前記所定の事象の検出開始を始期とする指定期間を前記出力期間として前記検出信号を出力する。
【００１１】
また、請求項５記載の監視装置は、複数の計測モジュールを備えると共に当該複数の計測モジュールのうちの少なくとも１つの計測モジュールが上記のいずれかの電子機器で構成されて、当該１つの計測モジュールが他の前記計測モジュールからの所定信号の出力を前記所定の事象として検出する。
【００１２】
また、請求項６記載の監視システムは、上記の監視装置と、当該監視装置と伝送路を介して接続されて前記処理部に前記設定データを出力するデータ処理装置を備えている。
【発明の効果】
【００１３】
請求項１記載の電子機器、この電子機器を備えた監視装置および監視システムでは、処理部が、出力条件を設定する設定データを機器外部から入力すると共に、所定の事象を検出したときに、この出力条件によって規定される出力期間に亘って検出信号を出力する。したがって、この電子機器によれば、この設定データの内容を変更して出力条件を任意に変更することができるため、様々な態様で検出信号を出力させることができる結果、この検出信号を用いて警報装置や測定装置などの外部機器に対して所望の動作を実行させることができる。
【００１４】
また、請求項２記載の電子機器、この電子機器を備えた監視装置および監視システムによれば、設定された設定データに基づいて、処理部が所定の事象の検出開始を始期として検出終了を終期とする期間を出力期間として検出信号を出力することにより、所定の事象が発生している全期間に亘り、例えば警報装置に対して警報動作を実行させたり、測定装置に対して電力設備などの監視対象機器のパラメータなどを測定させたりすることができる。したがって、警報装置や測定装置などに、時間的に過不足のない正確な報知や測定を実行させることができる。
【００１５】
また、請求項３記載の電子機器、この電子機器を備えた監視装置および監視システムによれば、設定された設定データに基づいて、所定の事象の検出開始を始期として処理部が検出信号の出力を開始して、例えば、警報装置や測定装置などに対して警報動作や測定動作などを開始させた後に、例えば機器外部からのリセット指示を入力した時点で検出信号の出力を停止させることができるため、警報動作や測定動作などを任意の時点で停止させることができる。つまり、警報動作や測定動作などを実行させる期間の終期を自由に設定できる。したがって、警報装置や測定装置などの外部機器に対して、より自由度の高い警報動作や測定動作などを実行させることができる。
【００１６】
また、請求項４記載の電子機器、この電子機器を備えた監視装置および監視システムによれば、設定された設定データに基づいて、処理部が所定の事象の検出開始を始期とする指定期間だけ、例えば、警報装置や測定装置などに対して警報動作や測定動作などを実行させることができる。したがって、警報動作や測定動作などの作動期間が規定されている状況下においても、この作動期間を指定期間として規定する設定データを設定することにより、規定された指定期間だけ警報装置や測定装置などを正確に作動させることができる。また、警報装置や測定装置などが検出信号を入力しているときだけ作動する製品仕様ではなく、例えば予め決められたパルス幅のトリガ信号を入力したときにのみ作動を開始する仕様の装置であったとしても、この電子機器、監視装置および遠隔監視システムによれば、警報装置等の仕様で規定されたトリガ信号の信号長に適合した指定期間を規定した設定データを設定することにより、警報装置等の仕様に合致した信号長の検出信号を正確に出力できるため、警報装置等を確実に作動させることができる。
【発明を実施するための最良の形態】
【００１７】
以下、本発明に係る電子機器、監視装置および監視システムの最良の形態について、添付図面を参照して説明する。
【００１８】
最初に、遠隔監視システム１の構成について、図面を参照して説明する。図１に示す遠隔監視システム１は、本発明に係る監視システムの一例であって、同図および図２に示すように、監視装置２、および本発明におけるデータ処理装置としてのパーソナルコンピュータ（以下、「パソコン」ともいう）３を備えて、１つの電力設備４を構成する１または２以上（本例では一例として２つ）の監視対象機器５１のパラメータを測定することによって監視対象機器５１の稼働状態を監視可能に構成されている。この場合、監視対象機器５１としては、一例として、電力設備４内に設置されている電源装置や換気装置等が該当し、電源装置における出力電圧や換気装置における駆動モータに流れる電流等が計測対象のパラメータに該当する。
【００１９】
監視装置２は、図１，２に示すように、複数（例えば３つ）の計測モジュール１１ａ，１１ｂ，１１ｃ（以下、特に区別しないときには「計測モジュール１１」ともいう）、通信モジュール１２、電源モジュール１３およびモジュールバス１４を備えて構成されている。計測モジュール１１は、モジュールバス１４のスロットに装着（着脱）可能に構成されている。また、計測モジュール１１は、モジュールバス１４に装着された状態において、背面に配設された図外のコネクタとモジュールバス１４のコネクタ１４ａ（図１参照）とが接続されて、モジュールバス１４を介して通信モジュール１２および電源モジュール１３に接続される。
【００２０】
また、各計測モジュール１１のうちの計測モジュール１１ａ，１１ｂは、図３に示すように、Ａ／Ｄ変換部２１、制御部２２、バッファ２３、基準値メモリ２４、データメモリ２５を備えて構成されている。Ａ／Ｄ変換部２１は、監視対象機器５１についてのパラメータ（例えば電流）を所定の周期Ｔ１（例えば、２．５／１０００秒）でサンプリングしてサンプリングデータＤｓを出力する。
【００２１】
制御部２２は、Ａ／Ｄ変換部２１から出力されたサンプリングデータＤｓをデータメモリ２５に記憶させる。この場合、制御部２２は、いわゆるリングバッファ方式でバッファ２３に対してサンプリングデータＤｓを上書きさせることにより所定時間分の最新のサンプリングデータＤｓを記憶させる。つまり、制御部２２は、先に記憶させているサンプリングデータＤｓを消去しつつ最新のサンプリングデータＤｓを所定時間分記憶させる。また、制御部２２は、バッファ２３に記憶させたサンプリングデータＤｓに基づくデータをデータメモリ２５に記憶させる記憶処理を実行する。具体的には、制御部２２は、サンプリングデータＤｓを上記の周期Ｔ１よりも長い周期Ｔ２（本発明における所定周期：例えば、１秒）で間引きして求めた監視対象機器５１についてのパラメータの値を示すデータ、つまり監視対象機器５１についてのパラメータを周期Ｔ２で計測したデータを計測データＤｍとしてデータメモリ２５に記憶させる。
【００２２】
また、制御部２２は、予め設定された基準値データＤｃによって特定される基準値（例えば上限値）と、算出したパラメータの値とを比較して、例えば、その値が基準値以上のときには、監視対象機器５１に異常が発生したとして、所定信号（異常検出信号）Ｓ１をモジュールバス１４に出力する。また、制御部２２は、パソコン３によって実行されるデータ収集処理において、データメモリ２５に記憶されている計測データＤｍをモジュールバス１４を介して通信モジュール１２に出力する。
【００２３】
バッファ２３は、制御部２２の制御に従ってサンプリングデータＤｓを記憶する。基準値メモリ２４は、制御部２２によって実行される記憶処理に用いられる基準値データＤｃを記憶する。この場合、基準値データＤｃは、一例として、監視対象機器５１の運転時における電流の許容値を示すデータを含んで構成されている。データメモリ２５は、制御部２２の制御に従って計測データＤｍを記憶する。
【００２４】
また、各計測モジュール１１のうちの計測モジュール１１ｃは、図４に示すように、出力部３１、制御部３２、出力条件メモリ３３、メモリ３４およびリセットボタン３５を備え、本発明に係る電子機器として構成されている。出力部３１は、制御信号Ｓｃを外部に出力可能な１または２以上の出力ポート（一例として「ＣＨ１」，「ＣＨ２」，「ＣＨ３」の３つ。図１参照）を備えている。また、出力ポートは、一対の接点（図示せず）で構成される接点出力端子として構成されて、制御信号Ｓｃの出力状態において各接点間が導通状態となり、制御信号Ｓｃの非出力状態（停止状態）において各接点間が非導通状態（オープン状態）となる。一例として、本例では、出力ポートは、一対の接点の一方の端子にエミッタ端子が接続され、かつ他方の端子にコレクタ端子が接続されたトランジスタ（例えばＮＰＮ型のトランジスタ）を用いてオープンコレクタ出力端子として構成されている。なお、トランジスタに代えてリレーを用いることもできる。本例では、図１に示すように、一例として出力部３１の１つの出力ポート（同図ではＣＨ１）が、電力設備４に配設された警報装置５２のトリガ入力端子（図示せず）に接続ケーブルを介して接続されている。この場合、出力部３１は、後述する検出信号Ｓ２の入力開始と同時に制御信号Ｓｃの出力を開始し、検出信号Ｓ２の入力停止と同時に制御信号Ｓｃの出力を停止する。一方、警報装置５２は、制御信号Ｓｃを入力している全期間に亘って報知動作（例えば警報用のＬＥＤやランプの点灯動作や、ブザーの鳴動動作）を実行する。
【００２５】
制御部３２は、本発明における処理部として機能して、メモリ３４に予め記憶されている動作プログラムに従って、初期設定処理、事象検出処理およびリセット処理を実行する。この場合、制御部３２は、機器外部から設定データＤｓｅを入力したときに、初期設定処理を実行する。この初期設定処理では、制御部３２は、入力した設定データＤｓｅを、出力条件を設定するデータとして出力条件メモリ３３に記憶させる。また、制御部３２は、初期設定処理を行った後に事象検出処理を実行する。この事象検出処理では、制御部３２は、計測モジュール１１ａ，１１ｂから所定信号Ｓ１がモジュールバス１４に出力されているか否かを検出すると共に、所定信号Ｓ１の出力（本発明における所定の事象）を検出したときには、出力条件メモリ３３に記憶されている出力条件によって規定される出力期間に亘って検出信号Ｓ２を出力部３１に出力する。また、制御部３２は、検出信号Ｓ２の出力期間中において、検出信号Ｓ２を出力していることを示すステータスデータＤｓｔをモジュールバス１４を介して通信モジュール１２に出力する。また、制御部３２は、リセットボタン３５が操作されてリセット信号Ｓ３を入力したとき、およびモジュールバス１４を介して機器外部からリセットコマンドデータＤｒを入力したときに、リセット処理を実行する。このリセット処理では、制御部３２は、出力している検出信号Ｓ２を強制的に停止する。
【００２６】
出力条件メモリ３３は、制御部３２の制御に従って設定データＤｓｅを記憶する。メモリ３４には、制御部３２の動作を規定する動作プログラムが予め記憶されている。リセットボタン３５は、操作された際にリセット信号Ｓ３を出力する。
【００２７】
通信モジュール１２は、ＬＡＮおよび公衆回線網を介してパソコン３との間で、計測データＤｍ、設定データＤｓｅ、リセットコマンドデータＤｒおよびステータスデータＤｓｔを含む各種データの送受信を行う。電源モジュール１３は、例えば、商用交流電源に接続されて、モジュールバス１４に装着されている計測モジュール１１および通信モジュール１２に対してモジュールバス１４を介して電力を供給する。モジュールバス１４は、各モジュール１１〜１３を装着するためのベースパネルであって、各モジュール１１〜１３を装着するための複数のスロット、各モジュール１１〜１３のコネクタ（図示せず）に接続される複数のコネクタ１４ａ（図１参照：同図では１つだけを図示する）、および各コネクタ１４ａ同士を接続する図外のバスラインを備えて構成されている。
【００２８】
パソコン３は、ＬＡＮおよび公衆回線網を介して監視装置２との間で各種データの送受信を行う。この場合、パソコン３は、所定時間間隔で監視装置２から計測データＤｍを収集するデータ収集処理を実行する。また、パソコン３は、ステータスデータＤｓｔに基づいて監視対象機器５１における異常発生を報知する異常報知処理や、計測データＤｍに基づいて監視対象機器５１におけるパラメータの波形を表示部４１に表示する波形表示処理を実行する。また、パソコン３は、キーボードやマウス４２に対する操作に応じて、リセットコマンドデータＤｒを生成するリセットコマンド生成処理を実行する。
【００２９】
次に、遠隔監視システム１の動作について、図面を参照して説明する。
【００３０】
この遠隔監視システム１では、各監視対象機器５１に接続された監視装置２の計測モジュール１１ａ，１１ｂが計測処理を実行する。具体的には、各計測モジュール１１ａ，１１ｂのＡ／Ｄ変換部２１が、監視対象機器５１についてのパラメータを所定の周期Ｔ１でサンプリングしてサンプリングデータＤｓを出力する。また、各計測モジュール１１ａ，１１ｂの制御部２２が、所定時間分の最新のサンプリングデータＤｓをリングバッファ方式でバッファ２３に記憶させる。また、制御部２２は、サンプリングデータＤｓに基づくデータの記憶処理を実行する。この記憶処理では、制御部２２は、サンプリングデータＤｓを周期Ｔ２（この例では、１秒）で間引きして求めた監視対象機器５１についてのパラメータの値を示すデータを計測データＤｍとしてデータメモリ２５に記憶させる。また、制御部２２は、計測データＤｍと、基準値メモリ２４に記憶されている基準値データＤｃとを比較する。この際に、計測データＤｍが基準値データＤｃ以上であるときには、監視対象機器５１に異常が発生したとして、図５に示すように、計測データＤｍが基準値データＤｃ以上となっている期間に亘って所定信号Ｓ１を出力する。
【００３１】
また、計測モジュール１１ｃは、遠隔監視システム１の動作開始後において、パソコン３から設定データＤｓｅを入力したときに、初期設定処理を実行して、検出信号Ｓ２の出力条件を設定するデータとして設定データＤｓｅを出力条件メモリ３３に記憶させる。その後、計測モジュール１１ｃは、事象検出処理を常時実行して、各計測モジュール１１ａ，１１ｂからの所定信号Ｓ１の出力の有無をチェックする。なお、本例では、一例として、所定信号Ｓ１の検出開始を始期として検出終了を終期とする期間（所定信号Ｓ１の全出力期間）を検出信号Ｓ２の出力期間として規定する出力条件が、設定データＤｓｅによって設定されたものとして説明する。
【００３２】
また、パソコン３は、計測モジュール１１ｃに対して設定データＤｓｅを出力した後では、データ収集処理を常時実行する。このデータ収集処理では、パソコン３は、所定時間（例えば１時間）間隔でＬＡＮおよび公衆回線網を介して監視装置２の通信モジュール１２に接続する。この際に、パソコン３は、モジュールバス１４を介して通信モジュール１２に接続されている各計測モジュール１１ａ，１１ｂにアクセスして、各計測モジュール１１のａ，１１ｂデータメモリ２５に記憶されている計測データＤｍを収集し、ハードディスク装置等の記憶装置に計測データＤｍを記憶させる。また、パソコン３は、異常報知処理を常時実行して、通信モジュール１２を介してステータスデータＤｓｔを受信したときに、その旨を表示部４１に表示させる。
【００３３】
その後、図５に示すように、計測モジュール１１ａ，１１ｂの少なくとも一方において、計測データＤｍが時刻ｔ１において基準値データＤｃ以上となり、これによって所定信号Ｓ１の出力が開始されたときには、計測モジュール１１ｃでは、制御部３２が事象検出処理においてこの所定信号Ｓ１の出力開始を検出して、出力条件メモリ３３に記憶されている設定データＤｓｅで設定される出力条件に基づいて検出信号Ｓ２を出力する。本例では、制御部３２は、まず、所定信号Ｓ１の出力開始とほぼ同じタイミングで、検出信号Ｓ２の出力を開始する。これにより、出力部３１も、制御信号Ｓｃの出力を開始する。また、制御部３２は、事象検出処理においてこの所定信号Ｓ１の出力を検出している間、検出信号Ｓ２の出力を継続する。これにより、出力部３１も、制御信号Ｓｃの出力を継続する。
【００３４】
続いて、計測モジュール１１ａ，１１ｂのうちの所定信号Ｓ１を出力している一方において、計測データＤｍが時刻ｔ２において基準値データＤｃ以下となり、これによって所定信号Ｓ１の出力が停止されたときには、制御部３２は、事象検出処理においてこの所定信号Ｓ１の出力停止を検出して、所定信号Ｓ１の出力停止とほぼ同じタイミングで、検出信号Ｓ２の出力を停止する。これにより、出力部３１も、制御信号Ｓｃの出力を停止する。したがって、計測モジュール１１ｃは、所定信号Ｓ１の出力開始（検出開始でもある）を始期として出力停止（検出停止でもある）を終期とする期間を出力期間として制御信号Ｓｃを出力する結果、警報装置５２は、計測モジュール１１ｃによる所定信号Ｓ１の検出開始を始期として検出終了を終期とする期間（所定信号Ｓ１の全出力期間Ｔ１１）に亘って報知動作を実行する。
【００３５】
このように、この計測モジュール１１ｃ、監視装置２および遠隔監視システム１では、計測モジュール１１ｃの制御部３２が、出力条件を設定する設定データＤｓｅを機器外部から入力して出力条件メモリ３３に記憶させ、各計測モジュール１１ａ，１１ｂからの所定信号Ｓ１の出力を検出したときに、この出力条件によって規定される出力期間に亘って検出信号Ｓ２を出力する。したがって、この計測モジュール１１ｃ、監視装置２および遠隔監視システム１によれば、この設定データＤｓｅの内容を変更して出力条件を任意に変更することができるため、様々な態様で検出信号Ｓ２を出力させることができる結果、この検出信号Ｓ２を用いて警報装置５２に対して所望の動作を実行させることができる。
【００３６】
また、この計測モジュール１１ｃ、監視装置２および遠隔監視システム１によれば、設定された設定データＤｓｅに基づいて、計測モジュール１１ｃが所定信号Ｓ１の検出開始を始期として検出終了を終期とする期間Ｔ１１に亘って検出信号Ｓ２を出力することにより、警報装置５２に対して、電力設備４（具体的には監視対象機器５１）に異常が発生している全期間Ｔ１１に亘って報知動作をさせることができるため、時間的に過不足のない正確な報知を行わせることができる。
【００３７】
なお、本発明は、上記の構成に限定されない。例えば、計測モジュール１１ｃの出力部３１に警報装置５２を接続した例について上記したが、図２に示すように警報装置５２に代えて、または警報装置５２と共に測定装置を出力部３１の出力ポートに接続することもできる。この測定装置は、制御信号Ｓｃをトリガ信号としてその前後の期間において、または制御信号Ｓｃを入力している期間に亘って測定動作を実行して、監視対象機器５１のパラメータ（例えば内部電圧波形）を測定する。この場合、２つの監視対象機器５１それぞれに測定装置を配置して、対応する１つの監視対象機器５１のパラメータを各測定装置で測定する構成としてもよいし、１台の測定装置で２つの監視対象機器５１のパラメータを測定する構成とすることもできる。このように構成することにより、電力設備４（の監視対象機器５１）に異常が発生した時点の前後の期間、または異常の発生している全期間Ｔ１１に亘って、測定装置に監視対象機器５１のパラメータを測定させることができるため、測定されたパラメータに基づいて、異常の発生原因を詳細に検討することができる。
【００３８】
また、計測モジュール１１ｃの制御部３２に対して、所定信号Ｓ１の検出開始を始期として検出終了を終期とする期間（所定信号Ｓ１の全出力期間）を検出信号Ｓ２の出力期間として規定する出力条件を設定する設定データＤｓｅを設定した例について上記したが、所定信号Ｓ１の検出開始を始期としてリセット指示を入力した時点（例えばリセット信号Ｓ３の入力時点）を終期とする期間を検出信号Ｓ２の出力期間として規定する出力条件を設定する設定データＤｓｅを設定することもできる。
【００３９】
この構成では、計測モジュール１１ａ，１１ｂの少なくとも一方において所定信号Ｓ１の出力が開始されたときには、計測モジュール１１ｃでは、制御部３２が、事象検出処理においてこの所定信号Ｓ１の出力開始を検出して、出力条件メモリ３３に記憶されている上記出力条件に基づいて検出信号Ｓ２を出力する。この例においても、制御部３２は、まず、図６に示すように、所定信号Ｓ１の出力開始とほぼ同じタイミングで（時刻ｔ１に）、検出信号Ｓ２の出力を開始する。これにより、出力部３１も、制御信号Ｓｃの出力を同じタイミングで開始する。一方、この例では、制御部３２は、事象検出処理において、所定信号Ｓ１の状態（出力状態にあるか、または停止状態にあるか）の検出は実行することなく、リセット指示の入力を検出しつつ、検出信号Ｓ２の出力を継続する。
【００４０】
続いて、計測モジュール１１ｃの制御部３２は、例えば、リセットボタン３５に対する操作によるリセット信号Ｓ３の入力、およびモジュールバス１４を介してのリセットコマンドデータＤｒの入力（これらを総称して、「リセット指示」ともいう）を検出したときに、図６に示すように、検出信号Ｓ２の出力を停止する。これにより、計測モジュール１１ｃは、所定信号Ｓ１の出力開始（検出開始でもある）を始期としてリセット指示を入力した時点を終期とする期間を出力期間として制御信号Ｓｃを出力する。したがって、警報装置５２や測定装置は、所定信号Ｓ１の出力期間Ｔ１１に拘わらず、計測モジュール１１ｃによる所定信号Ｓ１の検出開始を始期としてリセット指示の入力を終期とする期間Ｔ１２に亘って、報知動作や測定動作を実行する。
【００４１】
このように、この計測モジュール１１ｃ、監視装置２および遠隔監視システム１によれば、警報装置５２や測定装置が制御信号Ｓｃを入力して警報動作や測定動作を開始した後に、パソコン３のように計測モジュール１１ｃの外部の機器からのリセット指示、および計測モジュール１１ｃのリセットボタン３５によるリセット指示で指示することにより、検出信号Ｓ２の出力（つまり、制御信号Ｓｃの出力）を任意の時点で停止させることができるため、警報装置５２による警報動作や測定装置による測定動作の終期を自由に設定できる結果、自由度の高い警報動作や測定動作を実行させることができる。
【００４２】
また、計測モジュール１１ｃの制御部３２に対して、所定信号Ｓ１の検出開始を始期とする指定期間を検出信号Ｓ２の出力期間として規定する出力条件を設定する設定データＤｓｅを設定することもできる。この場合、設定データＤｓｅには、指定期間の長さ（例えば、１ｍｓおよび２００μｓなど）を指定するためのデータが含まれている。
【００４３】
この構成では、計測モジュール１１ａ，１１ｂの少なくとも一方において所定信号Ｓ１の出力が開始されたときには、計測モジュール１１ｃでは、制御部３２が事象検出処理においてこの所定信号Ｓ１の出力開始を検出して、出力条件メモリ３３に記憶されている上記出力条件に基づいて検出信号Ｓ２を出力する。この例においても、制御部３２は、まず、図７に示すように、所定信号Ｓ１の出力開始とほぼ同じタイミングで（時刻ｔ１に）、検出信号Ｓ２の出力を開始する。これにより、出力部３１も、制御信号Ｓｃの出力を開始する。また、本例では、制御部３２は、検出信号Ｓ２の出力の開始からの経過時間を計測する。また、制御部３２は、事象検出処理において、検出信号Ｓ２の出力を一旦開始させた後では、検出信号Ｓ２の出力を続行するものの、所定信号Ｓ１の状態（出力状態にあるか、または停止状態にあるか）の検出は実行することなく、計測している経過時間が出力条件メモリ３３に記憶されている上記出力条件で規定される指定期間Ｔ１３に達したか否かの検出を実行する。
【００４４】
この検出の結果、制御部３２が、計測している経過時間が指定期間Ｔ１３に達したと判別したときには、検出信号Ｓ２の出力を停止する。これにより、図７に示すように、計測モジュール１１ｃは、所定信号Ｓ１の出力開始（検出開始でもある）を始期とする指定期間Ｔ１３だけ制御信号Ｓｃを出力した後に、制御信号Ｓｃを停止する。したがって、警報装置５２や測定装置は、所定信号Ｓ１の出力期間Ｔ１１に拘わらず、計測モジュール１１ｃによる所定信号Ｓ１の検出開始を始期とする指定期間Ｔ１３だけ、報知動作や測定動作を実行する。
【００４５】
このように、この計測モジュール１１ｃ、監視装置２および遠隔監視システム１によれば、常に所定信号Ｓ１の出力開始（検出開始でもある）を始期とする指定期間Ｔ１３だけ、警報装置５２や測定装置を作動させて、警報動作や測定動作を実行させることができる。したがって、警報動作や測定動作の作動期間が規定されている状況下においても、この作動期間を指定期間Ｔ１３とすることにより、規定された指定期間Ｔ１３だけ警報装置５２や測定装置を正確に作動させることができる。また、警報装置５２や測定装置が制御信号Ｓｃを入力しているときだけ作動する製品仕様ではなく、例えば予め決められたパルス幅のトリガ信号を入力したときにのみ作動を開始する仕様の装置であったとしても、この計測モジュール１１ｃ、監視装置２および遠隔監視システム１によれば、警報装置５２や測定装置の仕様で規定されたトリガ信号の信号長に適合した指定期間Ｔ１３を規定した設定データＤｓｅを計測モジュール１１ｃに対して設定することにより、計測モジュール１１ｃにおいて、警報装置５２や測定装置の仕様に合致した信号長の制御信号Ｓｃを正確に出力できるため、これら装置を確実に作動させることができる。
【００４６】
なお、上記の例では、計測モジュール１１ｃの出力部３１に接続する装置として、警報装置５２および測定装置を例に挙げて説明したが、これ以外の装置を出力部３１に接続して作動させることができるのは勿論である。また、出力部３１に接続した装置に制御信号Ｓｃを出力して作動させる例について説明したが、逆に、常時は作動している装置を制御信号Ｓｃによって停止させることもできる。また、上記の例では、電力設備４側の異常を検出して、制御信号Ｓｃを出力する構成について説明したが、例えば、監視装置２用の警報装置を設置して、この警報装置に制御信号Ｓｃを出力することにより、監視装置２自体に発生した異常を報知させることもできる。
【００４７】
また、本発明に係る電子機器は、上記した計測モジュール１１ｃに限定されず、電圧計、電流計、電力計および波形記録装置などの各種測定装置を含むのは勿論のこと、各種家電製品を含む。
【図面の簡単な説明】
【００４８】
【図１】遠隔監視システム１の構成を示す構成図である。
【図２】遠隔監視システム１の構成を示すブロック図である。
【図３】計測モジュール１１ａ，１１ｂの構成を示すブロック図である。
【図４】計測モジュール１１ｃの構成を示すブロック図である。
【図５】計測モジュール１１ｃの動作を説明するための波形図である。
【図６】計測モジュール１１ｃの他の動作を説明するための波形図である。
【図７】計測モジュール１１ｃの他の動作を説明するための波形図である。
【符号の説明】
【００４９】
１  遠隔監視システム
２  監視装置
３  パソコン
１１ａ，１１ｂ，１１ｃ  計測モジュール
１２  通信モジュール
３１  出力部
３２  制御部
３３  出力条件メモリ
５１  監視対象機器
５２  警報装置
Ｄｓｅ  設定データ
【図１】
2007328383.tif 000003
【図２】
2007328383.tif 000004
【図３】
2007328383.tif 000005
【図４】
2007328383.tif 000006
【図５】
2007328383.tif 000007
【図６】
2007328383.tif 000008
【図７】
2007328383.tif 000009